(57)【要約】【課題】プロファイルＢ又はＣとして切り替え可能な基地局を備えるＷｉＭＡＸ通信システムを提供する。【解決手段】ＷｉＭＡＸ通信システム１０は、プロファイルＢ又はＣとして切り替え可能な基地局１４ａ（１４ｂ）と、基地局１４ａ（１４ｂ）の設定を行うＥＭＳ（制御端末）２０と、を備え、ＥＭＳ２０はネットワーク２２を介して基地局１４ａ（１４ｂ）と接続し、基地局１４ａ（１４ｂ）で動作しているプロファイル名がＥＭＳ２０に通知される。これにより、基地局のプロファイルを容易に変更することができ、また、プロファイルＢで運用していた基地局を安価にプロファイルＣとして利用することができる。【選択図】図４
2010103743.tif 000002
【特許請求の範囲】
【請求項１】
プロファイルＢ又はＣとして切り替え可能な基地局と、前記基地局の設定を行う制御端末と、を備えるＷｉＭＡＸ通信システムであって、
前記制御端末が前記基地局に接続されたとき、前記基地局で現に動作しているプロファイル名が前記制御端末に通知される機能を有する
ことを特徴とするＷｉＭＡＸ通信システム。
【請求項２】
請求項１記載のＷｉＭＡＸ通信システムにおいて、
前記制御端末は、前記基地局をプロファイルＢ又はＣとして動作させるプログラムを有し、前記プログラムを前記基地局にインストールする機能をさらに有する
ことを特徴とするＷｉＭＡＸ通信システム。
【請求項３】
請求項１記載のＷｉＭＡＸ通信システムにおいて、
前記基地局は、自身を予めプロファイルＢ又はＣとして動作させるプログラムを有し、前記制御端末からの指令に基づいて、いずれかの前記プログラムを起動する機能をさらに有する
ことを特徴とするＷｉＭＡＸ通信システム。
【請求項４】
請求項２又は３記載のＷｉＭＡＸ通信システムにおいて、
前記プログラムには、前記基地局を動作させるための設定値が含まれている
ことを特徴とするＷｉＭＡＸ通信システム。
【発明の詳細な説明】
【技術分野】
【０００１】
本発明は、基地局と、前記基地局とネットワークを介して接続し、前記基地局の設定を行う制御端末とを備えるＷｉＭＡＸ通信システムに関する。
【背景技術】
【０００２】
次世代の高速移動体通信方式としてＷｉＭＡＸ(Worldwide Interoperability for Microwave Access)が国際的に注目を集め、このシステムの導入が開始されている。
【０００３】
このＷｉＭＡＸは、端末と、前記端末と無線接続する基地局と、前記端末と前記基地局の制御を行うＡＳＮＧＷ（Access Service Network Gateway）とを備える。このうち、前記基地局と前記ＡＳＮＧＷについては、基地局にＡＳＮＧＷ機能が搭載される運用するプロファイルＢのシステムと、基地局とＡＳＮＧＷとは別装置で運用するプロファイルＣのシステムとがある。このシステムの構成の相違から、プロファイルＢのシステムは、利用加入者が少なく多数の基地局を必要としない地域においてはプロファイルＣよりも少ない費用でシステムを構築することができる。一方、プロファイルＣのシステムは、利用加入者が多く、多数の基地局を必要とする地域においてはプロファイルＢより少ない費用でシステムを構築することができ、また、移動性が高い地域において効率的な移動制御を実施することができる。
【０００４】
【非特許文献１】WiMAX FORUM 「WiMAX Forum Network Architecture」 ２００８年５月１０日  p.148-153
【発明の開示】
【発明が解決しようとする課題】
【０００５】
一般に、ＷｉＭＡＸ通信システムを提供する通信事業者は、利用加入者数や利用形態等に応じて通信システムを構築する。例えば、利用加入者数が少ないと予想される地域、また、期間では、通信システムの規模を最小限にして、その後の利用加入者数の増加に伴い通信システムが増設される。
【０００６】
しかしながら、プロファイルＢで運用していた通信システムにおいて、利用加入者数の増加に伴い増設する場合には、既存の基地局の代わりに別途、基地局及びＡＳＮＧＷを新たに用意して設定する必要から手続的に煩雑になるとともに、新たな設備の購入費用と工事費用が発生する。
【０００７】
本発明は、上記の課題を考慮してなされたものであって、プロファイルＢ又はＣとして切り替え可能な基地局を備えるＷｉＭＡＸ通信システムを提供することを目的とする。
【課題を解決するための手段】
【０００８】
本発明に係るＷｉＭＡＸ通信システムは、プロファイルＢ又はＣとして切り替え可能な基地局と、前記基地局の設定を行う制御端末と、を備えるＷｉＭＡＸ通信システムであって、前記制御端末が前記基地局に接続されたとき、前記基地局で現に動作しているプロファイル名が前記制御端末に通知される機能を有することを特徴とする。
【０００９】
また、前記制御端末は、前記基地局をプロファイルＢ又はＣとして動作させるプログラムを有し、前記プログラムを前記基地局にインストールする機能をさらに有する。
【００１０】
さらに、前記基地局は、自身を予めプロファイルＢ又はＣとして動作させるプログラムを有し、前記制御端末からの指令に基づいて、いずれかの前記プログラムを起動する機能をさらに有する。
【００１１】
さらにまた、前記プログラムには、前記基地局を動作させるための設定値が含まれている。
【発明の効果】
【００１２】
本発明のＷｉＭＡＸ通信システムによれば、基地局のプロファイルを容易に変更することができ、また、ＡＳＮＧＷ及び基地局として動作していた基地局を引き続き基地局として利用することができ、利用加入者数の増加に伴いシステムを増設する場合であっても、新たに基地局を増設する必要がないので、システムの増設費用を安価に抑えることができる。
【発明を実施するための最良の形態】
【００１３】
以下、本発明の実施形態について図面を参照して説明する。図１は、本発明の実施形態に係るＷｉＭＡＸ通信システム１０の説明図である。
【００１４】
ＷｉＭＡＸシステム１０は、通信機能を有するコンピュータや携帯電話等である端末（ＭＳ）１２と、端末１２と無線接続する基地局（ＢＳ）１４ａ、１４ｂと、端末１２、基地局１４ｂを制御をするＡＳＮＧＷ１６と、端末１２を管理するＣＳＮ１８と、基地局１４ａ、１４ｂを管理するＥＭＳ(Element Management System)２０とを備える。基地局１４ａ、ＡＳＮＧＷ１６、ＣＳＮ（Connectivity Service Network）１８、ＥＭＳ（制御端末）２０は、ネットワーク２２を介して接続されている。
【００１５】
基地局１４ａは、プロファイルＢとして機能する基地局であって、基地局１４ｂは、プロファイルＣとして機能する基地局である。図２は、基地局１４ａの構成の説明図であり、図３は、基地局１４ｂの構成の説明図である。
【００１６】
基地局１４ａは、図２に示すように、装置全体を制御するとともに、ＥＭＳ２０からの指示に従い機能を設定し、また、プロファイルＢとして機能するためのプログラム及びプロファイルＣとして機能するためのプログラムが格納された装置制御部２４と、端末１２と無線通信するためのインターフェースである無線ＩＦ機能部２６と、有線通信するためのインターフェースである有線ＩＦ機能部２８と、主としてＡＳＮＧＷとして機能するための制御を行うＲ３ＩＦ制御機能部３０と、ＡＳＮＧＷとしてパケットの転送に関する制御を行うＲ３ＩＦ転送機能部３２とを備える。Ｒ３ＩＦ制御機能部３０とＲ３ＩＦ転送機能部３２とは、装置制御部２４に格納されたプロファイルＢとして機能するためのプログラムによって構成される。また、基地局１４ａは、装置制御部２４に格納されたプロファイルＢとして機能するためのプログラムが起動し、稼働することにより基地局及びＡＳＮＧＷとして機能する。なお、前記プログラムには、基地局及びＡＳＮＧＷとして動作するために必要な設定値が含まれている。
【００１７】
基地局１４ｂは、図３に示すように、装置制御部２４と、無線ＩＦ機能部２６と、有線ＩＦ機能部２８と、主として基地局として機能するための制御を行うＲ６ＩＦ制御機能部３４と、基地局としてパケットの転送に関する制御を行うＲ６ＩＦ転送機能部３６とを備える。Ｒ６ＩＦ制御機能部３４とＲ６ＩＦ転送機能部３６とは、装置制御部２４に格納されたプロファイルＣとして機能するためのプログラムによって構成される。基地局１４ｂは、装置制御部２４に格納されたプロファイルＣとして機能するためのプログラムが起動し、稼働することにより基地局として機能する。従って、基地局１４ｂでは、ＡＳＮＧＷ機能が停止しているのでＡＳＮＧＷ１６を介してＣＳＮ１８と接続し、ＡＳＮＧＷ１６によって制御されている。なお、前記プログラムには、基地局として動作するために必要な設定値が含まれている。
【００１８】
ＣＳＮ１８は加入者の認証や課金情報の収集・管理を行うＲＡＤＩＵＳ（Remote Authentication Dial In User Service）サーバと、端末１２へのＩＰアドレスの割り当て、管理をするＤＨＣＰ（Dynamic Host Configuration Protocol）サーバと、加入者情報管理を行うＰＦ（Policy Function）サーバとを備えている。
【００１９】
ＥＭＳ２０は、基地局１４ａ、１４ｂの種々の設定をするとともに、基地局１４ａ、１４ｂに対するプロファイルＢ又はＣとして切り替え制御を行う。
【００２０】
次に、ＥＭＳ２０による基地局１４ａ、１４ｂのプロファイルの切り替えについて図４〜図８を用いて説明する。図４は、基地局１４ａ、基地局１４ｂにおけるプロファイルの切り替えの手順についての説明図であり、図５は、基地局で稼働しているプロファイル名を表示するTopology画面１００の説明図であり、図６は図５で表示されている基地局を選択した場合に表示されるＢＳプロファイル画面２００の説明図であり、図７は基地局を管理するＢＳコントロール画面３００の説明図であり、図８は基地局のプロファイルの切り替え、更新をするＢＳコンフィグレーション画面４００の説明図である。
【００２１】
ＥＭＳ２０による基地局１４ａ、１４ｂのプロファイルの切り替えは、ＥＭＳ２０が接続されている基地局１４ａ、１４ｂと通信を開始し（ステップＳ１）、基地局１４ａ、１４ｂで稼働しているプロファイル名と、稼動しているプログラムバージョンと、格納されているが稼働していないプログラムのバージョンとが基地局１４ａ、１４ｂからＥＭＳ２０に対して通知される（ステップＳ２）。Topology画面１００には、前記通知結果に基づいて、基地局１４ａで機能するプロファイルとしてプロファイルＢが表示され、基地局１４ｂで機能するプロファイルとしてプロファイルＣが表示されている。
【００２２】
プロファイルの切り替える対象を基地局１４ａとして、操作者がTopology画面１００から基地局１４ａを選択するとＢＳプロファイル画面２００が表示される（ステップＳ３）。ＢＳプロファイル画面２００には、選択した基地局で機能するプロファイルとは異なるプロファイルに対して変更可能である旨を示す変更可能プロファイル表示２０２、基地局のプロファイルプログラムを停止するための運用停止ボタン２０４、プロファイルのプログラムバージョンを示すプログラムバージョン２０６が設けられる。プログラムバージョン２０６には、稼働している基地局のプロファイルのプログラムバージョンと格納されているが稼働していないプログラムのバージョンを示すＢＳプログラムバージョン２０８と、前記基地局のプロファイルのプログラムと同種のプログラムであって、ＥＭＳ２０に格納されているプログラムバージョンを示すＥＭＳプログラムバージョン２１０とが設けられている。ＢＳプロファイル画面２００においては、プロファイルＢとして機能する基地局１４ａでは、変更可能プロファイル表示２０２として「プロファイルＣに変更可能」と表示され、ＢＳプログラムバージョン２０８として基地局１４ａで稼働しているプロファイルＢのプログラムバージョン及びＥＭＳプログラムバージョン２１０としてＥＭＳ２０に格納されているプロファイルＢのプログラムバージョンが表示されている。
【００２３】
基地局１４ａのプロファイルを変更するためには、基地局１４ａのプロファイルのプログラムを停止する必要があるので、操作者がＢＳプロファイル画面２００で運用停止ボタン２０４を押し（ステップＳ４）、その旨を基地局１４ａに通知し、基地局１４ａからプログラムを停止した旨がＥＭＳ２０に対して応答される（ステップＳ５）。
【００２４】
ＥＭＳ２０は、前記プログラムを停止した旨を受信するとＢＳコントロール画面３００を表示する（ステップＳ６）。ＢＳコントロール画面３００には、端末１２から基地局１４への電波の送信の開始、停波（サービス）又は電波送信のテストを選択するサービスモード選択欄３０２と、基地局１４ａ、１４ｂを再起動した際に、自動的な電波送信の可否を設定する自動停波解除フラグ設定欄３０４と、ＢＳプロファイルを再設定するためにＢＳコンフィグレーション画面４００を呼び出すためのＢＳ設定ボタン３０６、ＯＫボタン３０８とが設けられている。
【００２５】
ＢＳコントロール画面３００において、操作者がＢＳ設定ボタン３０６を押すことによりＢＳコンフィグレーション画面４００が表示される（ステップＳ７）。ＢＳコンフィグレーション画面４００には、プロファイルの切り替え対象とされる基地局で機能するプロファイル名を表示するプロファイル名表示欄４０２と、プロファイルのプログラムバージョンを示すプログラムバージョン表示欄４０４と、プロファイルＢへ変更するためのプロファイルＢ変更ボタン４０６、プロファイルＣへ変更するためのプロファイルＣ変更ボタン４０８、プロファイルのプログラムを更新するプログラム更新ボタン４１０とが設けられている。プログラムバージョン表示欄４０４には、稼働している基地局のプロファイルのプログラムバージョンと格納されているが稼働していないプログラムのバージョンを示すＢＳプログラムバージョン４１２と、前記基地局のプロファイルのプログラムと同種のプログラムであって、ＥＭＳ２０に格納されているプログラムバージョンを示すＥＭＳプログラムバージョン４１４とが設けられている。また、プロファイルＢ変更ボタン４０６、プロファイルＣ変更ボタン４０８のうち、プロファイル名表示欄４０２と同種のプロファイルには変更不可であることから、プロファイル名表示欄４０２と同種のプロファイルの変更ボタンについては操作者が操作できないように設定し、誤設定の防止を図っている。ＢＳコンフィグレーション画面４００では、基地局１４ａでプロファイルＢのプログラムが稼働しているので、プロファイルＢ変更ボタン４０６による変更は不可能であり、プロファイルＣ変更ボタン４０８による変更が可能となっている。
【００２６】
操作者は、プロファイル名表示欄４０２で基地局１４ａで機能しているプロファイルがプロファイルＢであることを確認した後にプロファイルＣ変更ボタン４０８を押すと（ステップＳ８）、プロファイルＢからプロファイルＣへの変更指示がＥＭＳ２０から基地局１４ａに通知されて、設定変更の応答が基地局１４ａからＥＭＳ２０に対してされる（ステップＳ９）。基地局１４ａの装置制御部２４では、基地局１４ａを再起動させた後に、一旦停止しているプロファイルＢのプログラムに代わって、プロファイルＣのプログラムが起動するように設定される。
【００２７】
基地局１４ａがＥＭＳ２０に対して応答した後に、基地局１４ａが再起動され（ステップＳ１０）、基地局１４ａの装置制御部２４によってプロファイルＢからプロファイルＣへの変更が完了する（ステップＳ１１）。これにより、基地局１４ａの構成が図２に示す構成から図３に示す構成に変更され、以後基地局１４ａはＡＳＮＧＷは機能せずに、基地局としてのみ機能し、基地局１４ａはＡＳＮＧＷ１６と接続すること（図１中、点線参照）によりＡＳＮＧＷ１６によって管理される。
【００２８】
なお、ＢＳプログラムバージョン４１２とＥＭＳプログラムバージョン４１４とを対比して、基地局１４ａで稼働しているプログラムバージョンがＥＭＳ２０に格納されているプログラムバージョンよりも古い場合には、必要に応じて、プログラム更新ボタン４１０を押すことにより、ＥＭＳ２０から最新のプログラムが基地局１４ａにダウンロードされ、基地局１４ａを再起動することにより、プログラムを更新することができる。
【００２９】
また、上述したプロファイルの変更は基地局１４ａについての説明であるが、基地局１４ｂのプロファイルをプロファイルＣからプロファイルＢへする場合も同様に変更することができる。
【００３０】
さらに、ＥＭＳ２０では、変更対象となる基地局を特定せずに、強制的にプロファイルを変更することもできる。図９は、基地局のプロファイルを強制的に変更する場合の手順についての説明図である。
【００３１】
基地局のプロファイルの強制的な変更は、まず、図４に示す基地局のプロファイルと同様に、ＥＭＳ２０が接続されている基地局１４ａ、１４ｂと通信を開始し（ステップＳ１）、基地局１４ａ、１４ｂで稼働しているプロファイル名と、稼動しているプログラムバージョンと、格納されているが稼働していないプログラムのバージョンとが基地局１４ａ、１４ｂからＥＭＳ２０に対して通知される（ステップＳ２）。前記プロファイル名を取得したＥＭＳ２０は、基地局１４ａ、１４ｂの各装置制御部２４に対して、前記取得したプロファイル名とは異なるプロファイルに変更する旨のメッセージを作成し（ステップＳ１２）、ＥＭＳ２０から基地局１４ａ、１４ｂの各装置制御部２４に対して前記メッセージが送信され、受信した応答が基地局１４ａ、１４ｂからＥＭＳ２０に対してされる（ステップＳ１３）。基地局１４ａの装置制御部２４では、基地局１４ａが再起動した後に、稼働しているプロファイルＢのプログラムに代わって、プロファイルＣのプログラムが起動するように設定され、基地局１４ｂの装置制御部２４では、基地局１４ｂが再起動した後に、稼働しているプロファイルＣのプログラムに代わって、プロファイルＢのプログラムが起動するように設定される。
【００３２】
基地局１４ａ、１４ｂがＥＭＳ２０に対して応答した後に、基地局１４ａ、１４ｂが再起動され（ステップＳ１４）、基地局１４ａの装置制御部２４によってプロファイルＢからプロファイルＣへ変更され、基地局１４ｂの装置制御部２４によってプロファイルＣからプロファイルＢへ変更されて、プロファイルの変更が完了する（ステップＳ１５）。
【００３３】
以上説明したように、ＷｉＭＡＸシステム１０は、プロファイルＢ又はＣとして切り替え可能な基地局１４ａ（１４ｂ）と、基地局１４ａ（１４ｂ）の設定を行うＥＭＳ（制御端末）２０と、を備え、ＥＭＳ２０が基地局１４ａ（１４ｂ）に接続されたとき、基地局１４ａ（１４ｂ）で現に動作しているプロファイル名がＥＭＳ２０に通知される。
【００３４】
これにより、基地局１４ａのプロファイルを容易に変更することができ、また、ＡＳＮＧＷ及び基地局として動作していた基地局１４ａを引き続き基地局として利用することができる。
【００３５】
また、ＥＭＳ２０は、基地局１４ａ（１４ｂ）をプロファイルＢ又はＣとして動作させるプログラムを有し、前記プログラムを基地局１４ａ（１４ｂ）にインストールする。
【００３６】
さらに、基地局１４ａ（１４ｂ）は自身を予めプロファイルＢ又はＣとして動作させるプログラムを有し、ＥＭＳ２０からの指令に基づいて、いずれかの前記プログラムを起動する。
【００３７】
なお、本発明は、上述の実施形態に限らず、本発明の要旨を逸脱することなく、種々の構成を採り得ることはもちろんである。
【図面の簡単な説明】
【００３８】
【図１】本発明の実施形態に係るＷｉＭＡＸ通信システムの説明図である。
【図２】基地局がプロファイルＢとして機能する場合の構成の説明図である。
【図３】基地局がプロファイルＣとして機能する場合の構成の説明図である。
【図４】基地局におけるプロファイルの切り替えの手順についての説明図である。
【図５】基地局で起動しているプロファイル名を表示するTopology画面の説明図である。
【図６】図５で表示されている基地局を選択した場合に表示されるＢＳプロファイル画面の説明図である。
【図７】基地局を管理するＢＳコントロール画面の説明図である。
【図８】基地局のプロファイルの切り替え、更新をするＢＳコンフィグレーション画面の説明図である。
【図９】基地局のプロファイルを強制的に変更する場合の手順についての説明図である。
【符号の説明】
【００３９】
１０…ＷｉＭＡＸシステム            １２…端末
１４、１４ａ、１４ｂ…基地局        １６…ＡＳＮＧＷ
１８…ＣＳＮ                        ２０…ＥＭＳ
２２…ネットワーク                  ２４…装置制御部
２６…無線ＩＦ機能部                ２８…有線ＩＦ機能部
３０…Ｒ３ＩＦ制御機能部            ３２…Ｒ３ＩＦ転送機能部
３４…Ｒ６ＩＦ制御機能部            ３６…Ｒ６ＩＦ転送機能部
１００…Topology画面                ２００…ＢＳプロファイル画面
２０２…変更可能プロファイル表示    ２０４…運用停止ボタン
２０６…プログラムバージョン
２０８、４１２…ＢＳプログラムバージョン
２１０、４１４…ＥＭＳプログラムバージョン
３００…ＢＳコントロール画面        ３０２…サービスモード選択欄
３０４…自動停波解除フラグ設定欄    ３０６…ＢＳ設定ボタン
３０８…ＯＫボタン                  ４００…ＢＳコンフィグレーション画面
４０２…プロファイル名表示欄        ４０４…プログラムバージョン表示欄
４０６…プロファイルＢ変更ボタン    ４０８…プロファイルＣ変更ボタン
４１０…プログラム更新ボタン
【図１】
2010103743.tif 000003
【図２】
2010103743.tif 000004
【図３】
2010103743.tif 000005
【図４】
2010103743.tif 000006
【図５】
2010103743.tif 000007
【図６】
2010103743.tif 000008
【図７】
2010103743.tif 000009
【図８】
2010103743.tif 000010
【図９】
2010103743.tif 000011